(57)【特許請求の範囲】
【請求項１】
凸形の天面部（１１）と凹形の底面部（１２）とを有して略扁平の塊状に成形され、一部が発泡樹脂製からなる本体（１）と、
頭髪に係止しうるフック状の先部を有する多数の係止フック（２１）が表面に形成された係止バンド（２）とを具備してなり、
この係止バンド（２）が、前記天面部（１１）から底面部（１２）にかけて前記本体（１）の周りを少なくとも部分的に周回固定され、
係止バンド（２）が周回固定された状態で、前記各係止フック（２１）のフック状の先部が本体（１）の前記底面部および天面部よりも表側に突出しており、
前記本体（１）の前記底面部（１２）から天面部（１１）にかけて、前記係止バンド（２）と略同幅の固定溝（３１）が形成され、
前記係止バンド（２）がこの固定溝（３１）内に収容され、貼り付けられることで周回固定される頭髪整形補助具。
【請求項２】
本体（１）は、前記底面部（１２）と前記天面部（１１）とが共通する周部（１３）を境界縁として上下に連接してなり、
本体（１）を周回した係止バンド（２）は、前記周部（１３）付近にて、天面部（１１）ないし底面部（１２）を貫通する縫合糸（４）によって本体（１）に縫合固定される請求項１に記載の頭髪整形補助具。
【請求項３】
前記本体（１）の天面部（１１）および底面部（１２）の表面が、閉口して形成された袋状の覆い布で覆われてなる請求項１又は請求項２のいずれかに記載の頭髪整形補助具。
【発明の詳細な説明】
【技術分野】
【０００１】
本発明は頭髪を嵩上げ整形するために頭髪内に差し込んで使用する頭髪整形補助具に関する。
【背景技術】
【０００２】
従来の頭髪整形補助具として、両端部分で連結された大小二つの円弧により、頭髪を嵩上げするために離間させてなる本体部と、当該本体部の上面並びに下面にそれぞれ本体部と一体に合成樹脂で形成された頭髪保持用空間を空けた状態で突出形成させるとともに、下面の頭髪保持部は本体部の下面の円弧上の前端縁部分から前方及び後方へ所定長さの櫛歯を延出し、その先端部分を下方に折り曲げて差し込み部を形成したものが開示される（例えば特許文献１参照）。この頭髪整形補助具は、頭部方向に折れ曲がって形成された本体部下部の差し込み部を頭髪内へ差し込んで固定するものである。また、本体部の連結した２つの円弧で形成される空間の中間部分には複数本の縦リブと横リブが形成されている。
【先行技術文献】
【特許文献】
【０００３】
【特許文献１】実用新案登録第３１５２６４９号公報
【発明の概要】
【発明が解決しようとする課題】
【０００４】
上記従来の頭髪整形補助具は、頭部方向に折れ曲がった差し込み部を頭髪内へ差し込んで固定するだけであるから、髪の量によっては差し込み後に位置ズレが生じやすく、また、頭上への落下物等によって差し込み部が頭に刺さったり頭皮を傷つけたりする恐れがあった。
【０００５】
また本体部の中間部分の縦リブと横リブによって重量がかさむため、装着感が良好とはいえず、また装着後に下方へ位置ズレする場合があった。
【０００６】
そこで本発明は、装着した状態で頭部を傷つけたりする恐れがなく、またさらに装着感が良く、装着後に位置ズレが生じにくい頭髪整形補助具を提供することを課題とする。
【課題を解決するための手段】
【０００７】
上記課題を解決すべく本発明では下記（１）〜（５）の手段を講じている。
【０００８】
（１）本発明の頭髪整形補助具は、
凸形の天面部１１と凹形の底面部１２とを有して略扁平の塊状に成形された弾性合成樹脂材からなる本体１と、
頭髪に係止しうる弾性糸状のフック状の先部を有する多数の係止フック２１が表面に形成された係止バンド２とを具備してなり、
前記本体１は発泡樹脂製の中実体を具備し、
この係止バンド２が、前記本体１の前記底面部１２から天面部１１にかけて少なくとも部分的に周回固定され、
係止バンド２が周回固定された状態で、前記各係止フック２１のフック状の先部が本体１の前記底面部および天面部よりも表側に突出してなることを特徴とする。
【０００９】
（２）前記本体１の前記天面部１１から底面部１２にかけて、前記係止バンド２と略同幅の固定溝３が形成され、
前記係止バンド２がこの固定溝３内に収容され、貼り付けられることで周回固定されることが好ましい。
【００１０】
（３）本体１は、前記天面部１１と前記底面部１２とが、共通する周縁１３にて上下に連接してなり、
本体１を周回した係止バンド２は、前記周縁１３付近にて、底面部１２乃至天面部１１を貫通する縫合糸４によって本体１に縫合固定されることが好ましい。
【００１１】
（４）係止バンド２は、略一定のバンド幅のまま所定の伸長方向に伸長したバンド本体２０を有し、
複数の係止フック２１は、所定の配列方向に沿って１本又は２本ずつが定植されて前記バンド本体２０上に離間配列されると共に、
それぞれのフック状の先部が、バンド本体２０への定植部を起点として、平面視第一方向へ変位した第一フック２１Ａと
第一方向と対向する平面視第二方向へ変位した第二フック２１Ｂとがランダムに混在してなることが好ましい。
【００１２】
（５）前記本体１の天面部１１および底面部１２の表面が、閉口形成された袋状の覆い布（５０、５１、５２、５３）で覆われてなることが好ましい。
【発明の効果】
【００１３】
上記手段を講じた頭髪整形補助具は、軽量でかつ表面弾性を有した発泡樹脂体からなるので装着時に違和感がなく、且つ係止バンドによって頭髪と確実に係止させることで、装着した状態で頭部を傷つけたりする恐れがなく、またさらに装着感が良く、装着後に位置ズレが生じにくい頭髪整形補助具を提供することができた。
【図面の簡単な説明】
【００１４】
【図１】実施例１の頭髪整形補助具の平面図。
【図２】実施例１の頭髪整形補助具の背面図。
【図３】実施例１の頭髪整形補助具の正面図。
【図４】実施例１の頭髪整形補助具の右側面図。
【図５】図３のＡ−Ａ線側断面図。
【図６】実施例２の頭髪整形補助具の平面図。
【図７】実施例２の頭髪整形補助具の背面図。
【図８】実施例２の頭髪整形補助具の右側面図。
【図９】実施例３の頭髪整形補助具の幅方向中央における側断面図。
【図１０】実施例４の頭髪整形補助具の平面図。
【図１１】実施例５の頭髪整形補助具の平面図。
【図１２】実施例６の頭髪整形補助具の平面図。
【図１３】実施例７の頭髪整形補助具の平面図。
【図１４】実施例８の頭髪整形補助具の幅方向中央における側断面図。
【発明を実施するための形態】
【００１５】
以下、本発明を実施するための形態例につき実施例として示す各図と共に説明する。いずれの実施例においても本発明の頭髪整形補助具は、凹形の底面部１２と凸形の天面部１１を有して略扁平の塊状に成形された本体１と、
頭髪に係止しうる（弾性糸状の）フック状の先部を有する多数の係止フック２１が表面に形成された係止バンド２とを具備してなる。本体１は少なくとも発泡樹脂製の中実体を具備し、特に連続気泡部を一部に含むことが好ましい。
【００１６】
係止バンド２は、本体１の前記底面部１２から天面部１１にかけて少なくとも部分的に周回固定され、この周回固定された状態で、前記各係止フック２１のフック状の先部が本体１の前記底面部および天面部よりも表側に突出してなる。本体１を頭上に載置してその上から頭髪をかぶせることで、本体１の形状に合わせた頭髪の嵩上げ整形ができる。この載置の際及び頭髪をかぶせる際に、それぞれ下面部１２及び天面部１１に配された係止フック２１が頭髪と絡んで固定及び隠蔽される。以下、各実施例の構成につき詳述する。
【実施例１】
【００１７】
図１〜図５に示す実施例１の頭髪整形補助具は、平面視横長かつ正面視上方へ凸外形に湾曲形成された閉曲線縁からなる周部１３で囲われ、周部１３を境として上方へ滑らかに膨出した断面山形の天面部１１と、下方にて凹外形に湾曲形成された底面部１２とが連なる。本体１の形状は具体的には、幅方向中央、奥行き方向中央がそれぞれ最大高さ及び最大幅となっており、高さ方向及び幅方向寸法は、左右端及び前後端へ向かって小さく形成される。また天面部１１、下面部１２は共に上方へ湾曲して形成されるが、天面部１１の凸外形の湾曲による最大突出高さは下面部１２の凹形の湾曲による最大窪み深さの３倍以上となっている。
【００１８】
実施例１の本体１は、発泡樹脂製の中実体１０１の外周全面に布製又は皮革製の外皮１０２が被着してなる（図５）。中実体１０１は例えば独立気泡の発泡性樹脂体からなり、繊維製の外皮１０２の内面に投錨固化して外皮１０２と一体的に形成されてなる。或いは成形後の中実体１０１の周囲に接着剤を介して外皮１０２を被着させたものでもよい。なお発泡樹脂体としては軽量性、適度な弾性による装着性の観点から、例えばウレタンフォーム、ポリエチレンフォームを好適に使用することができる。
【００１９】
そして前記本体１の前記底面部１２から天面部１１にかけて、前記係止バンド２と略同幅（の溝幅３Ｗ）の浅型の固定溝３１が奥行き方向中央位置（側面視中央位置）に周回形成され、前記係止バンド２がこの固定溝３内に収容され、貼り付けられることで周回固定される。前記固定溝３は係止バンド２の位置決めと、係止バンド２の周回固定状態の保持のために設けられるものであり、バンド本体２０の厚みと同程度或いはそれ以下の溝深さで形成される。これにより、バンド本体２０の表面が本体１の外皮１０２の表面と面一状態かあるいは外皮１０２よりも表側に突出して形成される。
【００２０】
また天面部１１における固定溝３の溝底は、溝中央部が溝両端部よりも上方へ滑らかに膨出し、底面部１２における固定溝３の溝底はほぼフラットに形成される。これにより、係止フック２１は断面視にて天面部１１では、バンド幅方向中央部のフック列２Ｌの係止フック２１がより上方に突出し、幅方向両側付近のフック列２Ｌの係止フック２１が、僅かに斜め方向に突出する（図５）。
【００２１】
係止バンド２は、略一定のバンド幅のまま所定の伸長方向に伸長したバンド本体２０を有し、このバンド本体２０上に離間配列された複数の係止フック２１を有する。
【００２２】
係止フック２１は、根部を略同位置として定植された２本の可撓性のフック糸２１１，２１２からなるフック糸セットが、各先部を互いに向い合う方向へフック状に湾曲形成させてなる（図３、図５）。そして複数のフック糸セットが、バンド本体２０の幅方向に複数のフック列２Ｌ（実施例では４列）をなし、各フック列２Ｌにおいて、バンド本体２０の伸長方向に沿って本体１の全周に離間配列される（図１〜図４）。
【００２３】
さらに前記フック糸セットは、向かい合う先部の湾曲形成方向が、バンド本体２０の伸長方向に対して平面視±９０度未満の角度で傾斜してなり、その定植の向きにより、バンド本体２０への定植部を起点として、フック状の先部が平面視第一傾斜方向（図示右斜め上方と左斜め下方を繋ぐ傾斜方向）へ変位した第一フック糸セット２１Ａと、第一方向と対向する平面視第二傾斜方向（図示左斜め上方と右斜め下方を繋ぐ傾斜方向）へ変位した第二フック糸セット２１Ｂとに分類される（図１，図２）。そして図１，２に示すように、バンド本体２０上にて、第一フック糸セット２１Ａと第二フック糸セット２１Ｂとがランダムに混在して配列される。
【００２４】
この係止バンド２が、前記本体１の前記底面部１２から天面部１１にかけて側周囲に亘って接着剤又は両面粘着テープによって貼り付け固定され、さらに周縁１３の片側付近にて、バンド幅方向を亘る縫合糸４で縫合される。縫合糸４は天面部と底面部の隣接部である周縁１３付近にて、底面部１２乃至天面部１１間の本体１内を貫通し（図３）、周回された係止バンド２の重なり部を本体１と共に縫合固定してなる。
【実施例２】
【００２５】
図６〜図８に示す実施例２の頭髪整形補助具は、天面部１１の表面に、細窪み１Ｄを並行に連設した連続波形加工を施してなる。また本体１を周回した係止バンド２は、両側２箇所の周縁１３付近にて、底面部１２乃至天面部１１を貫通する縫合糸４で本体１に縫合固定される。底面部１２は前記連続波形加工が施されておらず、周部の形状のみが連続波形となっている（図７）。係止バンド２のバンド本体２０の表面は、天面部１１の前記連続波形加工の頂部、及び底面部１２の表部よりも外方に張り出して固定される（図８）。実施例２の頭髪整形補助具は天面部１１の連続波形加工によって指掛り性に優れ、頭部での固定位置の微調整を容易に行うことができる。また細窪み１Ｄは略半円状部が凹凸状に緩やかに連続してなることで、整髪剤で成形された上髪が各細窪み１Ｄ内に緩やかに入り込み、上髪に適度に馴染むことで外部へ露出しにくく、配置固定後の位置安定性に優れる。さらに連続波形加工は美感性にも優れる。特記しない他の構成及び使用方法は実施例１と同様である。
【実施例３】
【００２６】
図９に示す実施例３の頭髪整形補助具は、固定溝３１の溝深さが、係止バンド２の先端湾曲したフック糸２１の湾曲状態での長さよりも深く、溝底にバンド本体２０を貼り付けた状態で係止バンド２の大部分が固定溝３１内に収容され、対となって対向する各フック糸セットの先端の対向部が天面部１１及び底面部１２よりも外方へ突出してなる。また固定溝３１の溝側部上端、及び周部１３はアール状に面取りされる。
【００２７】
また実施例３の本体１は全体が発泡樹脂製の中実体１０１と同様の発泡樹脂材のみからなり、実施例１のような被着材を有さずに発泡樹脂材の実が一体成型される。
【００２８】
面取りされた本体１は、実施例１のような被着構造を有しておらず、内部構造材と同じ発泡樹脂材がプレス成形されたまま表面に露出しており、製造上バリの発生が問題となりやすいところ、アール状に面取りされた型で成形することで、鋭角で構成された突出部分が表側に表れにくく、バリが表出しにくいものとなっている。
【００２９】
また固定溝３１がバンド本体２０及びフック糸２１の大部分を収容する深さで形成されるため、本体が溝内でのみ頭髪と係止して配置固定され、フック糸２１の定植部が天面部１１、底面部１２よりも表側にて頭皮や頭髪を傷つけにくい。特記しない他の構成及び使用方法は実施例１と同様である。
【実施例４】
【００３０】
図１０に示す実施例４の頭髪整形補助具は、本体を平面視横方向に横断する係止バンド２と平面視縦方向に横断する係止バンド２´の２つの係止バンドを有し、これらがそれぞれ縦方向、横方向を周回し、天面部１１中央位置、及び底面部１２中央位置にて互いに重なりあって、バンド本体２０の下面に設けた接着剤で面接着固定される。また２本の係止バンド２、２´はそれぞれ、周部３付近の２カ所で本体の天面部１１乃至底面部１２を交互に亘る縫合糸４によって縫合固定される。
【００３１】
実施例４の頭髪整形補助具は交差する２方向へ係止バンド２を設けているため、頭髪への固定性に優れる。また係止バンド２３同士の交差部分では、下側の縦方向の係止バンド２´のフック糸２１の先部に上側の横方向の係止バンド２のバンド本体２０の裏面が当接して、下側のフック糸２１が先部を接着されてバンド本体２０間に介設された状態となる。このため交差部分では上側の係止バンドが厚さ方向に大きく変形可能となり、天面部１１中央での係止固定力を増加させるものとなる。特記しない他の構成及び使用方法は実施例１と同様である。
【実施例５】
【００３２】
図１１に示す実施例５の頭髪整形補助具は、本体を平面視縦方向に横断する２本の係止バンド２´が本体の左右よりの位置にて平行に縦方向を周回して固定される。また２本の係止バンド２´は、周部３の平面視上部及び平面視下部のそれぞれの位置で、本体１内を横断する縫合糸４によって縫合固定される。このとき縫合糸４Ｈは、平行に並ぶ２本の係止バンド２´及びその間を亘って縫合形成され、周部３のうち、平面視上部の２本分の領域を纏めて縫合し、同様に平面視下部の２本分の領域を纏めて縫合する。
【００３３】
天面部１１の幅方向中央をよけてその左右に係止バンド２´を平行配置したことで、天面部１１にて係止バンド２の係止フック２１が大きく外方に突出することなく、かつ左右均等な係止固定によって固定力を高めたものとなっている。また縫合糸４を平面視上縁及び下縁にて全幅の半分以上の幅方向長さで設けたことで、本体の周部３を補強したものとなっている。特記しない他の構成及び使用方法は実施例１と同様である。
【実施例６】
【００３４】
図１２に示す実施例６の頭髪整形補助具は、複数のフック糸セットが幅方向に１３列のフック列２Ｌをなす１本の係止バンド２´´を有し、この係止バンド２´´が平面視縦方向に横断するように、本体に周回固定される。また周部３のうち平面視上部及び下部の２カ所ではそれぞれ、天面部１１乃至底面部１２を亘る縫合糸４で本体と共に固定される。
【００３５】
幅方向に多くのフック列２Ｌを形成することで係止バンド２´´の係止固定力を比較的強いものとし、また係止バンド２´´が本体１の幅方向４分の一以上を中央部で覆うことで本体１を補強したものとなっている。特記しない他の構成及び使用方法は実施例１と同様である。
【実施例７】
【００３６】
図１３に示す実施例７の頭髪整形補助具は、本体１´が平面視にて角丸三角形状をなし、中央部が周部よりも膨出し、天面部１１の３つの辺部が周部に向かってなだらかに平行延出した湾曲面で構成され、かつ天面部１１の３つの角部が周部に向かってなだらかに下方延出した略部分球冠状の曲面で構成される。係止バンド２´´はこの本体１´の隣り合う辺部同士を平面視斜め方向に周回する短バンド体と、本体１´のひとつの角部と当該角部に向かい合う辺部とを平面視斜め方向に周回する長バンド体とを有し、短バンド体、長バンド体それぞれが平面視斜め方向に平行に離間固定され、右斜め上から左斜め下へ向かう２本と、これに交差して左斜め上から右斜め下へ向かう２本とがそれぞれ交差して計４本が周回固定される。各係止バンド同士は重なりあって交差し、交差部では実施例４と同様、大きな変形自由度を有する。
【実施例８】
【００３７】
図１４に示す実施例８の頭髪整形補助具は、本体１の底面部および天面部の表面が、閉口した袋状の覆い布（５０、５１、５２、５３）で覆われてなる。実施例１のような、直接被着する形態となっている外皮１０２の被着構造とは異なり、成形後の本体１を、複数の覆い布を縫合した袋状体でくるんで間接的に覆う形態となっており、本体１と覆い布との間に空気層が介在する。
【００３８】
実施例の覆い布は具体的には、底面部を覆う底面布５０と、周部のうち平面視上部付近、平面視下部付近をそれぞれ覆う上周部布５１、下周部布５２と、天面部１２中央を幅方向に覆う天面中央布５３とから構成され、底面布５０の片側の周縁と上周部布５１、及び底面布５０の他方片側の周縁と下周部布５２がそれぞれ縫合固定部５５で縫合固定され、袋状体の下部を構成する。
【００３９】
この袋状体の下部を裏返して縫合固定部５５の縫合縁が内部にくるようにし、この内部に実施例１と同様の外形状の本体１（但し、全体が発泡樹脂材からなり、被着構造を有さない）を収容する。そして当該袋布体の収容口である上周部布５１、下周部布５２のそれぞれと天面中央布５３とを、それぞれ縫合固定部５４で縫合固定することで、本体１全体を袋状にくるむ。各覆い布として、フェルト製或いは皮革製（スウェード製）のものを使用することができる。
【００４０】
また本実施例では係止バンドの固定溝を有さず、係止バンド２のバンド本体２０は底面布５０．天面中央布５３の中央位置を横断して面接着によって周回固定される。なお図示しない左右周部では、天面部１１乃至底面部１２を横断する縫合糸４によって、本体１と係止バンド２とその間に介設された覆い布（５０，５３）とがまとめて縫合固定される。本実施例では本体１と袋状の覆い布との間に空気層が介在することで、表面のクッション性が高まり、柔らかい質感を有すると共に、優れた弾性機能を有することで頭髪を傷めにくいものとなっている。
（使用方法例）
上記各実施例として説明する本発明の頭髪整形補助具はいずれも、使用者の頭部のいずれかの位置を取り付け位置とし、取り付け位置の上部に被さる頭髪（上髪）を持ち上げて発泡樹脂耐１を取り付け位置の下部の髪（上髪を持ち上げることで露出した下髪）内或いは頭皮上に差し入れることで、差し入れた本体１の厚さ分だけ、上髪の髪束を嵩上げする。係止フック２が髪内に係止することで、頭髪内に定着し、頭髪を盛り上げて整形することができる。なお付け髪（ウィッグ）を使用する場合も同様である。
【００４１】
特に、係止フック２１が、先端を対向湾曲させたフック糸セットで構成されることで、湾曲対向した先端部によって頭髪を囲う状態で係止する。この係止状態では係止フックの先端部が頭髪側面に緩衝しにくいため、頭髪を傷めにくいものとなっている。また第一，第二フック糸セット２１Ａ，２１Ｂによって、先端対向フック部が平面視相反する傾斜方向へランダムに向いているため、係止状態の取り付け位置が垂直方向または左右方向にずれにくく、本体１が不要に脱落したり位置ズレ（変位）したりしにくいものとなっている。
【００４２】
また特に、基材の両側に粘着層が形成された両面粘着テープによって係止バンド２を固定溝３内に貼り付けた場合、両面粘着テープが緩衝材として働くことで、バンド本体２０の表面の弾性機能が向上し、その上に固定された係止フック２１の自由度が高まるものとなる。このことは頭髪整形補助具の着脱時に使用者の頭髪や頭皮を傷めずに容易に取り外しできるという機能をもたらす。
【符号の説明】
【００４３】
１１  底面部
１２  天面部
１  本体
２１  係止フック
２  係止バンド
３  固定溝
１３  周縁
４  縫合糸
２０  バンド本体
２１Ａ  第一フック
２１Ｂ  第二フック
【図１】
0005516875.tif 000002
【図２】
0005516875.tif 000003
【図３】
0005516875.tif 000004
【図４】
0005516875.tif 000005
【図５】
0005516875.tif 000006
【図６】
0005516875.tif 000007
【図７】
0005516875.tif 000008
【図８】
0005516875.tif 000009
【図９】
0005516875.tif 000010
【図１０】
0005516875.tif 000011
【図１１】
0005516875.tif 000012
【図１２】
0005516875.tif 000013
【図１３】
0005516875.tif 000014
【図１４】
0005516875.tif 000015